【手続補正書】
【提出日】平成17年10月11日(2005.10.11)
【手続補正１】
【補正対象書類名】特許請求の範囲
【補正対象項目名】全文
【補正方法】変更
【補正の内容】
【特許請求の範囲】
【請求項１】
対向面に接着剤を付けた用紙を２つ折りして接着するか、又は、少なくとも２枚の用紙の対向面に接着剤を付けて積層接着した四角形の用紙を、その一端側に余地を残して櫛歯状をなすようにカットして筒状に成形し、前記接着剤を乾燥させて前記筒状に固化すると共に、固化した筒状用紙の両端部をその筒状の外側に向けて折り曲げ合掌した形に成形することによって、合掌した両端部と櫛歯状部を含む筒状部が弾性を持つ開閉自在のリング状に形成されたことを特徴とするリング状に固化した紙製綴じ具。
【請求項２】
合掌部を接着する請求項１のリング状に固化した紙製綴じ具。
【請求項３】
２つ折りした用紙の折り目に芯となる紙材や紙紐を挟持させた請求項１又は２のリング状に固化した紙製綴じ具。
【請求項４】
２つ折りした紙の折り目には、折り目に沿って断面凹又は凸の筋を付けた請求項１〜３のいずれかのリング状に固化した紙製綴じ具。
【請求項５】
接着剤の塗布面に粗い織目の帛布或は不織布などを積層した請求項１〜４のいずれかのリング状に固化した紙製綴じ具。
【請求項６】
２つ折りした紙の外面に、薄い帛布，不織布，フィルム体などを積層した請求項１〜５のいずれかのリング状に固化した紙製綴じ具。
【請求項７】
紙製綴じ具の外面には、適宜内容の印刷を施した請求項１〜６のいずれかのリング状に固化した紙製綴じ具。
【請求項８】
対向面に接着剤を付けた用紙を２つ折りして接着するか、又は、少なくとも２枚の用紙の対向面に接着剤を付けて積層接着し、前記接着剤が固化する前に前記の接着されている用紙を略櫛歯状をなすようにカットしてから筒状をなすように丸め、丸めた用紙の両端部を前記筒状の外側に合掌する形に折曲げ、この状態で前記接着剤を乾燥させて前記用紙を固化することにより、前記両端部を含む筒状の櫛歯状部分が固化された当該用紙の弾性により開閉自在のリング状をなすように形成することを特徴とするリング状に固化した紙製綴じ具の製造方法。
【請求項９】
紙製綴じ具は防水処理又は防湿処理を施す請求項８のリング状に固化した紙製綴じ具の製造方法。
【請求項１０】
接着剤には植物性の糊又は動物性の膠を用いる請求項８又は９のリング状に固化した紙製綴じ具の製造方法。
【手続補正２】
【補正対象書類名】明細書
【補正対象項目名】全文
【補正方法】変更
【補正の内容】
【発明の詳細な説明】
【発明の名称】リング状に固化した紙製綴じ具とその製造方法
【技術分野】
【０００１】
本発明は紙製のリング状に固化した綴じ具とその製法に関する。
【背景技術】
【０００２】
従来よりノートやカレンダー或は書籍など複数の枚葉紙の綴じ方として、開放されたリング状の綴じ具を使用した綴じ形態が公知である。このリング状綴じ具は、金属又はプラスチックによって形成されており、表紙を含む複数の枚葉紙の綴じ代部位に設けられた複数の綴じ穴に、リング部をその開放部分から前記枚葉紙の穴に通すことによりその枚葉紙を綴じるように用いられているが、問題もある。
【０００３】
即ち、近年の環境保全問題に端を発して、使用済み製品や物品などの廃棄処理においては、使用済み製品や不用製品のリサイクル性を良好にしようとする機運が高まり、この観点からノートやカレンダーなどの紙製品には、金属やプラスチックなどの異質の材料はできるだけ混用しないという点である。
【０００４】
ノートやカレンダーの綴じ具から金属製やプラスチック製のものの使用を排除しようとすると、従来の金属製又はプラスチック製のリング状綴じ具は使用できなくなるため、これに代わる綴じ具や綴じ形態を開発する必要が生じる。
【０００５】
このような観点から、例えばカレンダー用の金属製綴じ具を全く使用しないカレンダーの綴じ技術が特許第３２４３１５２号などとして提案されているが、金属製又はプラスチック製のリング状綴じ具についての代替品は未だ見当らない。
【発明の開示】
【発明が解決しようとする課題】
【０００６】
そこで本発明では、従来の金属製又はプラスチック製のリング状綴じ具と略同等形態，機能を具備した100％紙製といえるリング状綴じ具とその製造方法を提供することを、その課題とするものである。
【課題を解決するための手段】
【０００７】
上記課題を解決することを目的としてなされた本発明綴じ具の製造方法の構成は、対向面に接着剤を付けた用紙を２つ折りして接着するか、又は、少なくとも２枚の用紙の対向面に接着剤を付けて積層接着し、前記接着剤が固化する前に前記の接着されている用紙を略櫛歯状をなすようにカットしてから筒状をなすように丸め、丸めた用紙の両端部を前記筒状の外側に合掌する形に折曲げ、この状態で前記接着剤を乾燥させて前記用紙を固化することにより、前記両端部を含む筒状の櫛歯状部分が固化された当該用紙の弾性により開閉自在のリング状をなすように形成することを特徴とするものである。
【０００８】
上記製法により形成される本発明綴じ具の構成は、対向面に接着剤を付けた用紙を２つ折りして接着するか、又は、少なくとも２枚の用紙の対向面に接着剤を付けて積層接着した四角形の用紙を、その一端側に余地を残して櫛歯状をなすようにカットして筒状に成形し、前記接着剤を乾燥させて前記筒状に固化すると共に、固化した筒状用紙の両端部をその筒状の外側に向けて折り曲げ合掌した形に成形することによって、合掌した両端部と櫛歯状部を含む筒状部が弾性を持つ開閉自在のリング状に形成されたことを特徴とするものである。
【０００９】
二重に接着した用紙を用いた本発明綴じ具では、一枚の用紙を２つ折りするとき、その折り目の内側に芯となる紙紐などを挟持させた構成を採ることができる。この綴じ具では、前記芯に代え、或は、その芯と併用して折り目に沿って補強部となる凹状又は凸状の筋を入れてもよい。
【００１０】
次に、本発明綴じ具では、用紙の外面又は接着剤の塗布面に粗い織目の帛布或は不織布や薄い和紙などを積層した構造とすることがある。また、本発明では、リング状綴じ具の外面に、化粧乃至補強の趣旨で、薄い帛布，不織布、或は、天然素材によるフィルムや薄い和紙などを貼着積層してもよい。この場合の帛布、不織布などは天然素材により製されたものが好ましい。加えて、本発明綴じ具では、前記用紙や帛布などの外面、或は、２つ折りした用紙の外面に、適宜の印刷（色彩，模様，文字など）を施すこともできる。更には、用紙に防水処理又は防湿処理したものを使用するが、完成した本発明綴じ具に防水又は防湿処理を施すこともある。
【００１１】
本発明では、用紙に塗布する接着剤に、植物系の糊、動物系の膠を用いれば、本発明綴じ具本体と使用した材料は、接着剤まですべて天然材質であるから、リサイクル性あるいは環境保全の面からも望ましい。
【発明の効果】
【００１２】
本発明は、ノートやカレンダーなどに製本される枚葉紙の綴じ具を、紙のみ、又は紙と天然材質の接着剤により形成したので、用済後のノートやカレンダーなどを、それらの構成部材を分別することなく、元の姿のままで一括して処理に回すことができる。
【発明を実施するための最良の形態】
【００１３】
次に本発明綴じ具のうち、二重に接着した用紙を用いて形成した綴じ具について、図を参照しつつその実施の形態例について説明する。図１は本発明リング状綴じ具を形成する比較的厚手の四角形の用紙の斜視図、図２は図１の用紙を２つ折りして接着した状態の斜視図、図３は図２の２つ折りの用紙を略櫛歯状にカットした状態の斜視図、図４は図３の略櫛歯状の紙を筒状に丸めると共に、丸めた筒状の外側の両端部を合掌した形に折曲げて接着剤を固化させ本発明綴じ具に形成した例の斜視図、図５は図４のＡ−Ａ矢視拡大断面（端面）図である。
【００１４】
図示した本発明綴じ具は、一例として、幅が４〜６cm、長さが５〜７cm程度の長方形の比較的厚手（例えば0.2〜0.5mm程度）の四角形の用紙１（以下、単に「紙」という）によって形成される。即ち、図１の紙１を、その長さ方向において２つ折りするため、２つ折りして対向面となる面1a，1b少なくとも一方に、図１では面1aに、望ましくは膠や糊などによる接着剤２を塗布する。なお、本発明の接着剤は糊や膠に限られるものではない。
【００１５】
接着剤２を塗布した紙１は、接着剤２の塗布面を内側（内面）にして中間部の折り目３において２つ折りし、図２の状態にする。図２の２つ折り状態で接着剤２が固化する前に、プレス刃などによって２つ折り紙１の折り目３がない側に開放された溝４を等ピッチで形成（カット）することにより、櫛歯状に歯部５を残して全体を略櫛歯状に形成する（図３参照）。本発明において、溝４の数（歯部５の数）は、用紙１のサイズとカットする溝４の幅（残す歯部５）の大きさとの兼合いで、任意に設定できる。
【００１６】
櫛歯状に形成された図３の２つ折り紙１は、図３の接着剤未固化の状態でこの紙１の上面側1fを外側にして円筒状をなすように丸める。丸め方は、一例として丸い断面の芯棒（図示せず）に図３の紙１を巻付けることにより行い、この状態で接着剤２をドライヤーなどにより強制的に乾燥する。なお、紙１の丸め方は、上記の芯棒使用の形態に限られるものではない。また、円筒状の外径も任意であるが、大略5.6〜15mm程度が好ましい例である。
【００１７】
本発明では、紙１の円筒状成形に引き続き、その筒体の長さをなしている外側端部（折り曲げ部の辺とその対向側の辺）を、互に外側へ折曲げてその折曲げ部分が合掌した形の合掌部6a，6bに形成する。
【００１８】
ここで、図３の紙１を丸めると共に、この筒体の両外側部を外側に折曲げて合掌した形に形成したとき、２つ折りされた紙１は未だ接着剤２が未固化状態であるから、紙１の厚さによって円筒状成形と合掌部6a，6bの折曲げ成形時に、前記筒状の内外面で生じる周長差によって、内側（図３での下側1u）の紙１の先端と外側（図３での上側1f）の紙１の先端にずれＦが発生する。このずれＦが生じた状態で上記接着剤２が強制乾燥によって固化されるから、図４，図５に例示するように、丸めて両端を合掌した形に形成した２つ折りの紙１は元に戻ることなくその状態で固化されてしまう。
【００１９】
上記２つ折り紙１の丸め及び合掌部6a，6bの成形と接着剤２の固化作用により、図５の形態に成形固定された本発明綴じ具における各歯部５は、あたかもプラスチック製や金属製のリングと同様の十分なバネ性（弾性）を発現する開閉自在のリング体として、リング状綴じ具として利用できるのである。
【００２０】
本発明では、使用する用紙１の厚さや大きさを選択することにより、歯部５の長さ（リングの径）や歯部５（リング）の本数を任意に設定した紙製のリング状綴じ具を形成することが出来る。
【００２１】
本発明ではまた、図１の紙１の２つ折り接着面に、図示しないが目の粗い天然素材の帛布や不織布を積層することにより、使用する紙１が薄いものであっても十分な強度やスプリング性を発現させ、更にはそれらの性能を高めることができる。厚目の紙を使用したものではそれらの性能が一段と強化される。
【００２２】
更に、２つ折りする図１の紙１における折り目３に沿って、当該折り目３の内部に例えば紙紐を芯として入れると、これが本発明綴じ具の長さ方向での支骨となって、強度を高めることができる。この趣旨で、本発明では２つ折りした紙１の折り目３に沿って断面が凹状又は凸状をなす筋を入れると、これがまた補強筋として作用するので、前記筋を紙紐芯と併用して、或は、単独で適用することができる。また、本発明では丸めた各歯部５が接着剤で固められて開きにくくなる場合に対応するため、図４，図５に仮想線で示すように、リングの開きを助けるための凹型７（又は凸型）を付けることもある。更に、本発明綴じ具を用いてカレンダーなどの枚葉紙を綴じ込んだ後、上記合掌部6a，6b同士を接着することがある。
【００２３】
本発明では、綴じ具の強度を上げる、或は、外観上の体裁を良好にするため、２つ折りした紙１の外面少なくとも（図３の上面1f）に、帛布などを積層して強度を高めるとともに、綴じ具の質感を所望の材質に見せたり、着色，模様，文字などの印刷により装飾を施すことがある。また、完成した本発明綴じ具を防水処理又は防湿処理することもある。
【００２４】
以上は、一枚の四角形用紙１を間に接着剤を入れて二つ折りして二重にした紙、又は、少なくとも２枚の紙を接着積層した紙を、本発明綴じ具に形成した例であるが、本発明綴じ具は、二つ折りして二重にしなくても、一枚でも十分な硬さと強度並びに弾性（バネ性）を有する用紙であれば、その一枚の四角形用紙で本発明のリング状紙製綴じ具を形成することができる。そして、この紙製綴じ具の用紙にも、上記例の場合と同様の各構成を付加することができる。
【００２５】
上記の硬さと強度並びに弾性（バネ性）をもつ一枚の用紙を用いた本発明綴じ具では、二重用紙を使用する綴じ具の製造に比べ、接着剤塗、２つ折りや積層の各工程が不要となり、また、カットや折り曲げを接着剤乾燥前に行う必要もなくなるから、この面で製造が容易になる利点がある。
【産業上の利用可能性】
【００２６】
本発明は以上の通りであって、紙と接着剤のみによってプラスチックや金属製のリング状綴じ具と同等の機能，性能を持つ紙製リング状綴じ具を提供できるので、この綴じ具をノートやカレンダーなどのように多数の枚葉紙を綴じる手段に用いると、用済み後にノード本体やカレンダー本体などと分別することなくそのまま処分できるという利点が得られる。
【００２７】
特に、本発明綴じ具では、用紙の弾性による開閉自在のリング体の両端部を合掌した形に形成しているので、例えば、この綴じ具をカレンダーやノートなどのリング綴じ具として用いたとき、リング体の開閉される端部が、この綴じ具に綴じ込まれるカレンダーやノートなどの枚葉紙の面と同方向を向いた合掌面として、各枚葉紙の間に挟むことができる。また、これによって本発明綴じ具におけるリング体の開閉部分（合掌部）が綴じ込まれているカレンダーやノートなどの外部に全く露出しないので、カレンダーやノートしての体裁も良好になるという利点がある。
因みに、櫛歯状に形成した用紙に合掌部を形成しないと、リング体の開閉部分が綴じられる枚葉紙と直交する向きになるので、この部分は、綴じる枚葉紙の最も外側に位置した枚葉紙の上に位置付けざるを得ないため、見映え上好ましくないばかりか、この綴じ具を間にして綴じられている枚葉紙をめくり返したとき、めくり返した枚葉紙が合掌部に形成されない部分に引掛って綴じ具を含む枚葉紙全体が平らにならないという難点がある。
【００２８】
更に、本発明綴じ具は、硬くて強く弾性を持つ紙だけ、或は、普通のやや厚目の紙と接着剤だけあれば作製できるので、プラスチック製や金属製の綴じ具に比べて材料コスト面でも有利であり、また、製造用の加工機も、簡易な機構のもので足りるから、材料コストや設備の面でも、有利である。
【図面の簡単な説明】
【００２９】
【図１】本発明リング状綴じ具を形成する比較的厚手の四角形の用紙の斜視図。
【図２】図１の用紙を２つ折りして接着した状態の斜視図。
【図３】図２の２つ折りの用紙を略櫛歯状にカットした状態の斜視図。
【図４】図３の略櫛歯状の紙を筒状に丸めると共に、丸めた筒状の外側の両端部を合掌した形に折曲げて接着剤を固化させ本発明綴じ具に形成した例の斜視図。
【図５】図４のＡ−Ａ矢視拡大断面（端面）図。
【符号の説明】
【００３０】
１        塗布した紙
２        接着剤
３        折り目
４        溝
５        歯部
6a，6b    合掌部
７        リングの開きを助けるための凹型